(57)【要約】【課題】プールに昇降可能に設置されるプール床にヒンジにて起倒可能に取着される支持脚を設け、プールを使用しないときには、支持脚を起こして着床させるプール床の支持装置において、支持脚の起倒による不使用或いは使用位置への切換えが簡易に行えるようにすると共に、支持脚を倒してプール床に沿わせたときには不用意に垂直状態に切換わることがないようにする。【解決手段】プール床９の下側にヒンジ１７にて支持脚１６を起倒可能に取着し、指示脚１６には浮子１８を取付けて支持脚１６を倒れる方向に付勢する。支持脚１６を起すときには、工具を用い、プール床９の作業孔を通して指示脚１６に係合させ、浮子１８の浮力の作用に抗してプール床９のストッパー１９に当たるまで押下げる。【選択図】図６
2008121420.tif 000002
【特許請求の範囲】
【請求項１】
プールに昇降可能に設置されるプール床を不使用時に上昇位置で支持する支持装置であって、プール床の下側にヒンジにて起倒可能に取着される支持脚と、支持脚を倒す方向に付勢する付勢手段と、プール床に形成の作業孔を通して支持脚に着脱可能に係合し、支持脚を付勢手段の作用に抗して押込み、起立させる工具とからなるプール床の支持装置。
【請求項２】
付勢手段が支持脚に浮力を与える浮子である請求項１記載のプール床の支持装置。
【請求項３】
浮子は支持脚に位置調整可能に取着される請求項２記載のプール床の支持装置。
【請求項４】
プール床は波状等の凹凸に屈曲形成したステンレス等の耐蝕性に優れた薄板を床材に用いてなる請求項１ないし３のいずれかの請求項に記載のプール床の支持装置。
【発明の詳細な説明】
【技術分野】
【０００１】
本発明は、プールに昇降可能に設置されるプール床の支持装置に関する。
【背景技術】
【０００２】
プール床が昇降可能で、不使用時にはプール床を上げてプールサイドの床面と面一にして、テニスコート等のスポーツフロアとして使用できるようにしたプールは既知で、特開平９−６０３１９号には、プール不使用時にプール床を引上げてスポーツフロアとして使用するときには、プール床に取着される固定金具のネジ孔に支持脚を通し、支持脚下端をプール底に固定のベースに突設される短軸に嵌合すると共に、支持脚上端を固定金具のネジ孔に螺着してプール床を支持するものが記載されている。
【発明の開示】
【発明が解決しようとする課題】
【０００３】
プールを使用しないでプール床を上昇位置で支持するために支持脚を用いるものでは、支持脚を取付けたり取外すのが面倒で、手間と時間がかかる難点がある。
【０００４】
本発明の目的は、プールを使用しないときに、プール床を上昇位置で簡易に支持できるようにするものである。
【課題を解決するための手段】
【０００５】
請求項１記載の発明のプール床の支持装置は、昇降可能なプール床の下側にヒンジにて起倒可能に取着される支持脚と、支持脚を倒す方向に付勢する付勢手段と、プール床に形成の作業孔を通して支持脚に着脱可能に係合し、支持脚を付勢手段の作用に抗して押込み、起立させる工具とからなるものである。
【０００６】
本発明によると、プール床を上昇させた状態で作業孔を通して工具で支持脚を押込み、支持脚を起こして下端をプール底に当てることによりプール床がプール底上に支持脚で支持される。ヒンジにてプール床に取着される支持脚は倒した状態より起こした状態までほぼ９０ーの範囲内でのみ旋回できるようにするのが望ましい。これにより倒れた状態の支持脚を目一杯限度まで押込むと、支持脚がプール底に当たって起立（垂下）状態になり、それ以上の旋回ができなくなって起立状態で拘束されるようになる。
【０００７】
本発明において、プール床の昇降は、手作業ないし人力で行うようにしてもよいが、好ましくは既知のように或いは前記した発明のように、巻上装置によって動力を用いて行うようにされる。本発明において支持脚を倒す方向に付勢する付勢手段には、バネを用いてもよいが、好ましくは浮力を与える浮子が用いられ、浮子はより好ましくは支持脚に位置調整可能に止着される。
【０００８】
請求項２記載の発明は、請求項１記載の発明において、付勢手段を支持脚に浮力を与える浮子としたものであり、
請求項３記載の発明は、請求項２記載の発明において、浮子を支持脚に位置調整可能に取付けたものである。浮力は支持脚をプール床に倒した状態で支持脚と直交して該支持脚を上向きに旋回するように作用し、プール床に係合する支持脚を倒した状態に拘束する。一方、支持脚を起こして垂直状態にし、プール床を上昇位置に支持した状態では、浮力は垂下する支持脚に沿う方向に作用し、支持脚を起立状態に維持する。
【０００９】
また浮子を支持脚に沿って位置調整できるようにすれば、浮子の浮力による回転モーメントの調整、すなわち回転力の調整が可能である。
上述の請求項１ないし３記載の発明において用いられるプール床は、従前と同様、中空状のパイプを連結した簀の子状タイプのものを用いることもできるが、好ましくは軽量で強度を有し、かつ浮力の小さなものが用いられる。
【００１０】
上述する簀の子状タイプのものは浮力が大きく、プール床の昇降に要する動力も少なくてすみ、モータを小型化できる利点があるが、巻取装置にはプール床の浮力で大きな荷重が掛からないように設計されているため、プール床をスポーツフロアとして使用するときも水面上に持上げて巻取装置にプール床の自重がそのまま作用することのないように、すなわちプール床の浮力が作用するように水面下に浮かせた状態にする必要があり、そのためプールの水を抜くことができないのに対し、軽量で浮力の小さなもの、例えばステンレス製のロールフォーミング材で形成された波形状のプール床部は、水面下にあっても水面より持上げても巻取装置に掛かる負荷は小さいままで変化が少ない。そのためプール床部を水面上に持ち上げても支障がない。したがって支持脚を起立状態にし、プール床部に例えば耐水ベニヤを張ることにより、プールの水を抜いても抜かなくてもそのままスポーツフロアとして使用することもできる。
【００１１】
請求項４記載の発明は、かかる点に鑑みてなされたもので、請求項１ないし３記載の発明において、プール床に波状の凹凸に屈曲形成したステンレス等の耐蝕性に優れた薄板を床材に用いたものである。図１のａ〜ｃはかかるプール床を例示したものである。
【発明の効果】
【００１２】
請求項１記載の発明によると、付勢手段の作用に抗して支持脚を押込む操作をするだけで支持脚を垂直状態にしてプール床を支持することができ、支持脚の起倒による不使用或いは使用位置への切換えが簡易に行えるほか、支持脚を水平にしてプール床に沿わせたときには、付勢手段の作用で水平状態を維持し、不用意に垂直状態に切換わることはない。
【００１３】
請求項２記載の発明のように、付勢手段に浮子を用いれば、水平状態の支持脚を水平状態に或いは垂直状態の支持脚を垂直状態に維持することができる。
請求項３記載の発明のように、浮子を位置調整できるようにすれば、工場から出荷するときには浮子の位置を適当にしておいて現場で施工するときに支持脚の回転モーメント、すなわち回転力を適度な大きさに調整することができる。
【００１４】
請求項４記載の発明のように、プール床に波状等の凹凸に屈曲形成したステンレス等の薄板を床材に用いると、軽量で巻取り装置にかかる負荷が小さく、しかも剛性と耐蝕性を有するため水面下で使用しても水面より持ち上げてスポーツフロアとして使用することもできる。
【発明を実施するための最良の形態】
【００１５】
図２に示されるように、プールサイドには図３及び図４に示される、支柱１が一定間隔で三か所立設され（二か所又は四か所以上に設けてもよい）、支柱上端に固着の架台２にはそれぞれ巻取ドラム３が取着されると共に、中央部の支柱上端に固着される架台２には更に減速機付きモータ４が取着されている。そして各巻取ドラム３はそれぞれシャフト５により連結され、シャフト５とチェーン伝動機構６を介して連結されるモータ４の駆動により正或いは逆方向に回転し、巻取ドラム３に巻付けられるワイヤ７の巻取り或いは巻戻しを行うようになっている。
【００１６】
プール床９は格子状をなすフレーム１０上に無数の小孔を有するプレート、好ましくは図５に示すようにロールフォーミング材よりなり、谷部に水が流通する孔１１を一定間隔で開けた波板１２を敷設した構造をなしており、左右の両側縁部に支柱１と同間隔でステンレス製の吊りロッド８が縦設され、各吊りロッド８は巻取ドラム３より引出されるワイヤ７と連結されている。そして巻取ドラム３によるワイヤ７の巻取り或いは巻戻しにより昇降して水深を変え、更にはプールの水面と面一をなす位置まで上昇できるようにしてある。
【００１７】
図３及び図４に示す１４は、支柱１に固定支持されるステンレス製のパイプで、巻取ドラム３より引出されるワイヤ７及び吊りロッド８が通され、吊りロッド８はプール床９が最も降下したときも水面上に突出してパイプ１４内に進入する長さを有し、ワイヤ７が水中に漬かったり、パイプ１４より突出して露出することがないように、したがってワイヤ７に付着するグリースで手等が汚れたり、プールの水を汚したりすることがないようにしている。なお、パイプ１４はプラスチックのパイプやチューブに代えてもよい。
【００１８】
プール床９にはまた、その裏側に前後左右に一定間隔で図６及び図７に示す支持脚１６がヒンジ１７にて軸着され、旋回により図６及び図７の一点鎖線で示す水平状態に、或いは実線で示す垂直状態に起倒可能で、水平に倒した状態では支持脚１６に取着した樹脂製の中空状をなす付勢手段としての浮子１８がプール床裏面に当たって浮子の浮力の作用で支持脚１６がそれ以上上向きに旋回できないようになっており、また垂直に起立した状態ではプール床９に設けたストッパー１９に支持脚１６が係合し、支持脚のそれ以上の旋回ができないようにしている。
【００１９】
支持脚１６を垂直状態に切換えてプール床を少し下降させれば、支持脚下端がプール底２０に当たり、これによりプール床９が支持脚１６を支えとして支持されるが、このときのプール床９の高さを調節できるようにするため、支持脚下端には図６に示すように、ボルト２１が捩込まれると共に、下部にナット２２によって回動操作されるネジ２３を有し、ボルト２１の捩込み量を変え、またナット２２を回動操作してネジ２３の捩込み量を変えることにより支持脚１６の長さをプール底に合わせて調整できるようにしてある。
【００２０】
支持脚１６を垂直状態に切換えてプール床９を支持したときには、浮子１８の浮力の作用線が図６においてヒンジ１７の右側を通るようにする。すなわち支持脚１６はヒンジ１７を通る鉛直線を僅かに越えるまで回動させる。これにより支持脚１６は図の反時計方向に回動するように付勢され、ストッパー１９に係合したほぼ鉛直状態で安定して支持される。
【００２１】
浮子１８はその浮力による回転モーメントが支持脚１６の自重による回転モーメントよりも大きくなるように支持脚１６の重心位置より外側に取付けられる。すなわちヒンジ１７と支持脚１６の重心位置との間隔よりもヒンジ１７と浮子１８との間隔の方が長くなるように支持脚１６に取付けられる。これにより浮子１８の浮力の作用線がヒンジ１７を越えて図６の左側に移動すると、支持脚１６は浮子１８の浮力の作用で図の時計方向に一点鎖線位置まで旋回するようになる。
【００２２】
浮子１８はまた、浮力による回転モーメントが調整できるように支持脚１６に位置調整可能に取着されるのが望ましい。図８は支持脚１６に位置調整可能に取着される浮子１８の一例を示すもので、支持脚１６に通してＬ形状に折曲げた丸棒２５に形成したネジ部２５ａに浮子１８を遊嵌し、その両側にネジ部２５ａに捩込んだナット２６を設けたもので、ナット２６の捩込みによって浮子１８の位置調整が行えるようにしてある。
【００２３】
水平に倒れた状態の支持脚１６を浮子１８の浮力の作用に抗して押込み、垂直状態に切換えるときには、図９に示すようにヒンジ軸２７に設けた孔２８に工具としてのロッド２９を差込んで回動操作するか、或いは図７及び図１０に示すように支持脚１６に一対の鉤溝３１を対称位置に形成した短筒部３２を固着し、ロッド３３と、ロッド先端の二又部３３ａに直径方向に向かい合って固着されるピン３４を突設した工具、又は図１１に示すようにロッド先端に直径方向にピン３５を突設した工具を用い、ピン３４又は３５を鉤溝３１に押込んで嵌合させ、嵌合後、工具をロッド３３の軸線の回りに９０ー回転させてピン３４又は３５を鉤溝３１の水平部に嵌合係止させたのち、下方へ押込み操作を行う。図７において、３６は工具のロッド上端に軸着される折りたたみ可能な取手である。また３８はプール床９に形成の作業孔３９に被せられ、着脱可能に取着されるキャップである。
【００２４】
本実施形態は以上のように構成され、水深を変えるためプール床９を昇降させるときにはモータ４を駆動して巻取ドラム３を正或いは逆に回転させ、ワイヤ７の巻取り或いは巻戻しを行う。プール不使用時において、プール床９をテニスコート等のスポーツコートとして使用するときには、図３及び図４に示すようにプール床９をプールサイドの床面とほぼ面一になる高さまで上昇させる。このときプールの水を抜いても抜かなくてもよいが、抜かない場合には水面上に上昇させるのが望ましい。これによりプール床９が蓋の機能を果たし、プールの水の保温効果を高めると共に、水の汚染を防ぐことができる。
【００２５】
プール床を上昇後、次に図７に示すプール床９の各キャップ３８を外し、作業孔３９を通して工具の二又部３３ａを挿入し、二又部３３ａのピン３４を短筒部３２の鉤溝３１に差込み、工具をそのまま下方に押込んで支持脚１６を浮子１８の浮力の作用に抗して押下げる。押込みは支持脚１６がストッパー１９に係合する限度まで目一杯行われ、ストッパー１９に係合すると、支持脚１６が鉛直状態より僅かに押込まれ、後向きに僅かに傾斜してほぼ垂直状態となり、これにより支持脚下端のボルト頭部がプール底２０に当たった状態でプール床９が支持脚１６にて支持される。支持脚１６が垂直状態になるまで工具を押込むと、工具のロッド上端が、作業孔内に位置するようになり、取手３６を折りたたむと、取手３６も作業孔内に収まるようになる。その後、キャップ３８を作業孔上に被せて蓋をする。
【００２６】
以上の作業を各支持脚ごとに繰返して行う。そして全ての作業脚をプール底に着床してプール床を支持した状態でスポーツフロアとして供用を開始する。プールとして使用するときには、キャップ３８を外して取手３６を掴み、作業孔上に引出す。そして引上げる。工具を短筒部３２より取外すときには上記と逆に工具のピン３４を鉤溝３１より取外して行うが、この工具の取外しは、支持脚１６が水平状態になってから行うこともできるし、支持脚１６が水平状態に旋回する途中で行うこともできる。旋回途中で工具を取外しても支持脚１６は浮子１８の浮力の作用で浮子１８がプール床９に当たる水平状態になるまで旋回する。
【００２７】
以上はロッド３３よりなる工具を用いた例を示すものであるが、図９に示すロッド２９を用いるときには同じくプール床に取着のキャップを外したのち作業孔を通してロッド２９を挿入し、ヒンジ軸に形成の孔２８に差込む。そしてロッド２９の回動操作を行って支持脚１６をストッパー１７に当たるまで下向きに限度一杯まで旋回させる。そして支持脚１６を垂直状態にしたのちはロッド２９を抜き取り、キャップで蓋をする。
【００２８】
支持脚１６を垂直より水平方向に切換えるときには、キャップを外してロッド２９を孔２８に差込み、上記と逆向きに回動操作する。その後、ロッド２９を抜き取り、キャップを被せて蓋をする。全ての支持脚を水平状態に切換えたのちモータ４を駆動して巻取ドラム３を逆回転させ、ワイヤ７の巻戻しを行ってプール床９を適度な深さまで降下させる。
【図面の簡単な説明】
【００２９】
【図１】プール床の態様を示す概略図。
【図２】プール床と、その昇降装置の概略平面図。
【図３】巻取装置とモータを備えた支柱の正面図。
【図４】巻取装置を備えた支柱の正面図。
【図５】プール床の一実施形態の部分断面図。
【図６】支持脚の正面図。
【図７】同要部の拡大図。
【図８】位置調整可能に取着される浮子の側面図。
【図９】ロッドの使用状態を示す図。
【図１０】短筒部とピンの関係を示す図。
【図１１】短筒部とピンの別の例を示す図。
【符号の説明】
【００３０】
１・・支柱
３・・巻取ドラム
４・・モータ
５・・シャフト
６・・チェーン伝動機構
７・・ワイヤ
９・・プール床
１４・・パイプ
１６・・支持脚
１７・・ヒンジ
１８・・浮子
１９・・ストッパー
２０・・プール底
２１・・ボルト
２２、２６・・ナット
２３・・ネジ
２５・・丸棒
２７・・ヒンジ軸
２８・・孔
２９、３３・・ロッド
３１・・鉤溝
３２・・短筒部
３４、３５・・ピン
３６・・取手
３８・・キャップ
３９・・作業孔
【図１】
2008121420.tif 000003
【図２】
2008121420.tif 000004
【図３】
2008121420.tif 000005
【図４】
2008121420.tif 000006
【図５】
2008121420.tif 000007
【図６】
2008121420.tif 000008
【図７】
2008121420.tif 000009
【図８】
2008121420.tif 000010
【図９】
2008121420.tif 000011
【図１０】
2008121420.tif 000012
【図１１】
2008121420.tif 000013